(57)【要約】      （修正有）【課題】固形餌の食べこぼしを減らすこと、及び給餌器内の餌に排泄物が混入しないようにすること、そして何よりサルにストレスを与えず健康な環境を作るための実験用サルの給餌器を提供する。【解決手段】ケージの外側に取り付けるようにした餌ホッパー２の底部開口に、餌取出し通路３を接続すると共に、餌取出し通路３を屈折して形成し、その下端の餌取出し口９をケージの内側に向け開口し、そして餌取出し通路３のケージの内側にのぞむ面には、その屈折した形状に沿った長孔１１を開け、この長孔１１の横幅を固形餌より小さく且つサルの指先が挿入可能な寸法とする。前記餌取出し通路３をクランク形に屈折した形状に形成し、これにより餌取出し通路３の途中に水平部を設けるとよい。【選択図】図２
0003150669.tif 000002
【実用新案登録請求の範囲】
【請求項１】
ケージの外側に取り付けるようにした餌ホッパーの底部開口に、餌取出し通路を接続すると共に、餌取出し通路を屈折して形成し、その下端の餌取出し口をケージの内側に向け開口し、
そして餌取出し通路のケージの内側にのぞむ面には、その屈折した形状に沿った長孔を開け、この長孔の横幅を固形餌より小さく且つサルの指先が挿入可能な寸法とすることを特徴とする実験用サルの給餌器。
【請求項２】
前記餌取出し通路をクランク形に屈折した形状に形成し、これにより餌取出し通路の途中に水平部を設けることを特徴とする請求項１記載の実験用サルの給餌器。
【請求項３】
前記餌取出し口を前記餌取出し通路の下端より高い位置に設けることを特徴とする請求項１記載の実験用サルの給餌器。
【請求項４】
前記餌取出し通路の下端を塞ぐ底板に水抜き穴を開けることを特徴とする請求項３記載の実験用サルの給餌器。
【請求項５】
前記餌取出し通路の長孔と対向する面にのぞき穴を設けることを特徴とする請求項１記載の実験用サルの給餌器。
【請求項６】
前記餌ホッパーの上面を塞ぐと共に、餌ホッパーのケージに臨む面とは反対側の面に餌投入口を設け、上面の餌投入口側を高くすることを特徴とする請求項１に記載の実験用サルの給餌器。
【請求項７】
給餌器のケージに臨む側を平坦にすることを特徴とする請求項１乃至６のいずれか１項に記載の実験用サルの給餌器。
【考案の詳細な説明】
【技術分野】
【０００１】
本考案は、実験用のサルの飼育に使用する給餌器に関する。
【背景技術】
【０００２】
ケージの中のサルに餌をやるには、ケージの外側に取り付けた給餌器に定量の餌を供給し、そこからサルに餌を取らせる。
図８は従来の給餌器で、ステンレスなどの金属板により全体が箱型に出来ている。
これをケージの正面外側に取り付け、上面の開口１５に餌を入れると、サルは給餌器14の裏16に明いた円形の孔17に手を差し込んで内部の餌を取る。餌としては、サルが掴める程度の大きさに固めた固形餌（オリエンタル酵母工業株式会社製の商品名ＡＳ、ＰＳなど）が広く使われている。
実験に多く使われるマカク属のサル（以下、「マカクザル」又は「サル」という）は、餌を取り放題にすると、餌を頬袋につめ込み、更に可能な限りの餌を手でつかみ取るという習性がある。
図8の給餌器１４は餌が取りやすいため、サルは短時間に取れる限り取って、すぐに給餌器１４を空にしてしまう。その結果、ケージ６の中に大量の食べかすが落ち、無駄なだけでなく清掃に手間が掛かるという問題があった。
出願人の調査によれば、与えた餌の５０％以上が食べかすとなり、それにサルの排泄物が混ざるためケージ内の衛生環境は良くない。
加えてサルがケージの中から開口１５に小便をかけることがあり、給餌器の餌が汚染されて全部使えなくなる、という事態も頻発していた。
また高等なサルにとって、ケージの中はストレスが大きいため、動物愛護の観点から、近年、その軽減が強く求められている。
餌を取りやすくすることは、ストレスの軽減に寄与しないことも分かってきた。
【考案の概要】
【考案が解決しようとする課題】
【０００３】
解決しようとする課題は、固形餌の食べこぼしを減らすこと、及び給餌器内の餌に排泄物が混入しないようにすること、そして何よりサルにストレスを与えず健康な環境を作ることである。
【課題を解決するための手段】
【０００４】
請求項１の考案は、ケージの外側に取り付けるようにした餌ホッパーの底部開口に、餌取出し通路を接続すると共に、餌取出し通路を屈折して形成し、その下端の餌取出し口をケージの内側に向け開口し、
そして餌取出し通路のケージの内側にのぞむ面には、その屈折した形状に沿った長孔を開け、この長孔の横幅を固形餌より小さく且つサルの指先が挿入可能な寸法とすることを特徴とする。
請求項２の考案は、前記餌取出し通路をクランク形に屈折した形状に形成し、これにより餌取出し通路の途中に水平部を設けることを特徴とする。
請求項３の考案は、餌取出し口を前記餌取出し通路の下端より高い位置に設けることを特徴とする。
請求項４の考案は、餌取出し通路の下端を塞ぐ底板に水抜き穴を開けることを特徴とする。
請求項５の考案は、餌取出し通路の長孔と対向する面にのぞき穴を設けることを特徴とする。
請求項６の考案は、餌ホッパーの上面を塞ぐと共に、餌ホッパーのケージに臨む面とは反対側の面に餌投入口を設け、上面の餌投入口側を高くすることを特徴とする。
請求項７の考案は、給餌器のケージに臨む側を平坦にすることを特徴とする。
【考案の効果】
【０００５】
請求項１の考案は、餌は屈曲した餌取出し通路内で滞留するが、サルが長孔に指を入れて移動し餌取出口へと導き取り出すので、サルは一度に大量の固形餌を手にすることができず、食べこぼしが激減する。よって、餌の無駄が減り、ケージ内を清潔に保持できる。また、飼育者がサルがどの程度の餌を食べたか判断し易い。
さらに、餌を得るのに多少の知恵を必要とするので、サルは楽しみながら餌を得ることができる。
請求項２の考案では、餌取出し通路の形状が複雑でないので、ストレスをためることなく、楽しみながら餌を得ることができる。また、餌取出し通路内に餌が詰まり難く清掃しやすい。
請求項３の考案では、餌取出し通路が高くなっているので、指先で餌を掻き出すことができず、餌を摘み取り出すので、食べこぼしが一層激減する。
請求項４の考案では、水抜き孔を設けたので、餌の微粉末や掃除した際の水が排出しやすく、掃除しやすい。
請求項５の考案では、のぞき穴により飼育者が餌が供給できていることを確認しやすい。
請求項６の考案では、給餌器内の餌（固形餌）に排泄物が混入しない。
請求項７の考案では、ケージと密着し、ケージから外れにくい。また、サルが餌を採るのにケージ外に手を伸ばさなくてすむ。
【図面の簡単な説明】
【０００６】
【図１】実験用サルの給餌器を餌投入口側から見た斜視図である。
【図２】実験用サルの給餌器をケージ内から見た斜視図である。
【図３】図２のＡ−Ａ断面図である。
【図４】図３のＢ−Ｂ断面図である。
【図５】図３のＣ−Ｃ断面図である。
【図６】給餌器から固形餌を取り出す状態を示す図である。
【図７】別の実施形態の実験用サルの給餌器の正面図である。
【図８】従来の実験用サルの給餌器の斜視図である。
【考案を実施するための形態】
【０００７】
以下、本考案に係る実験用サルの給餌器の実施形態について図を参照して説明する。
図１は実験用サルの給餌器を餌投入口側から見た斜視図で、図２はケージ内から見た斜視図、図３は図２のＡ−Ａ断面図である。図４は給餌器の底面の断面図である。図５は給餌器の側面側から見た縦断面図である。
【０００８】
１は給餌器であり、餌ホッパー２と餌取出し通路３からなる。
餌ホッパー２は、上面部が閉塞し底部が開放した筐体状部材の底部に、すり鉢状部材を一体に連結した形状のものである。
餌取出し通路３は、上部が開口し底部が閉塞した筒状のものであり、餌ホッパー２の下端部の開口４に連結する。さらに、この餌取出し通路３は、クランク形に（上から順に鉛直部３ａ、水平部３ｂ、鉛直部３aとなるよう）屈折する（図４）。
【０００９】
以下、給餌器１をケージ６に取り付けた際に、ケージ６内から見た状態で、給餌器１の正面、背面等という。
給餌器１は、その正面と固定用板１３とでケージ６を挟み、ねじ止めして固定する。
給餌器１は、背面の上部に餌投入口７を設ける。給餌器１の上面部８は平坦であってもよいが、図１，２に示すように背面側が高くなるよう少なくとも一部を傾斜させる。
餌取出し通路３の下端よりやや高い位置に、開口部を正面側に向けた矩形状の餌取出し口９を連結する。また、餌取出し通路３の下端を塞ぐ底板に水抜き穴５を穿設する。
餌取出し口９は、固形餌１０をサルが指先でつまんだ状態で自由に出入できる大きさである。実験用のサルにはマカク属のサル（以下、「マカクザル」又は「サル」という）が多い。マカクザルの場合、餌取出し口９は縦を約２０ｍｍ、横を約２７ｍｍにする。
また、餌取出し通路３の正面側の中央部分屈折した形状に沿った長孔１１を設ける。長孔１１の幅は、固定餌１０の径よりも小であり、かつサルの指先が入る大きさであり、約８〜１０ｍｍにする。
さらに、給餌器１のケージ６に臨む側を平坦する。
なお、１２は餌取出し通路３の背面側に設けられた餌１０が長孔１の先端部まであることを、飼育者が確認するためののぞき穴である。
【００１０】
以上のようにしてなる給餌器１では、餌取出し通路３の上側の鉛直部３ａの下端（＝水平部３ｂの始端）に溜まった固形餌１０を、餌移動用長孔１１にサルが指先を入れてずらし、水平部３ｂを餌取出口９に向かい移動させる（図６（ａ），（ｂ）参照）。
餌取出口９に固形餌１０が落下したら（図６（ｃ）参照）、サルは固形餌１０を指先で掴み、口へと運び食する。従って、一粒ずつ餌１０を掴み口に入れるので、食べこぼし減る。また、マカクザルは努力して手に入れた餌を貯め込もうとはしないので、食べこぼしが供給した餌の約１５％と激減する。
さらに、本発明の給餌器１では、３０粒（約６０グラム）の固形餌１０を食べるのに、２０〜４５分を要する。サルは自然の状態では安直に餌を手に入れることができず、探し回ったりして時間が掛かる。固形餌１０を簡単に大量に手にでき、５〜１０分で食べてしまう従前の給餌器１４に比べ自然に近い状態となり、サルにとって適切な環境である。
【００１１】
また、水抜き穴５は、給餌器１をケージ６より取り外し水洗いしたとき、乾燥を早くするためのものであるが、ケージ６に取り付けた際に、固形餌１０の微粉末が溜まるのを防ぎ、餌取出口９内を清潔に保つ役割も担う。
【００１２】
なお、上記実施形態では、餌取出し通路４を上から順に鉛直部３a、水平部３b、鉛直部３aとなるよう屈折させているが、これに限るものではなく、鉛直部、水平部や、鉛直部３ａ、水平部３ｂ、鉛直部３ａ、水平部３ｂ（図７）であってもよい。また、の字状に屈曲させてもよい。ただし、あまり多く屈曲させると、固形餌１０を取り出すのに時間が掛かり、サルにストレスを与えるのでよくない。
また、長孔１１は少なくも餌取出し通路４の固形餌が滞留する部分に設ければよく、鉛直状で、ここを餌が落下する部分には設けなくともよい。
また、給餌器１のケージ６に臨む側を平坦にしているが、これに限るものではなく、平坦でなくてもよい。ただし、平坦にすると、ケージ６と密着し、ケージ６から外れにくい。また、サルが餌を採るのにケージ６外に手を伸ばさなくてすむ。
【実施例】
【００１３】
図８に示す従来の給餌器（既存型）と、本考案の給餌器を使用して同じ固形餌を与え、それぞれ２．５〜３．５歳の幼齢で体重２．４〜２．９ｋｇのカニクイザル５匹ずつの１週間毎の体重の増減を４週間にわたり測定した。
本考案の給餌器では、５匹全てのサルが順調に体重を増加していったが、既存型では、いずれの個体も体重の増減を繰り返し、４週間後の体重の増加はわずかであった。
食べこぼしが減少し、サルがどの程度の餌を食べたか飼育者が判断し易くなること、既存型より各個体とも３、４倍の時間を掛けて餌を食べ、餌を探すのに時間のかかる自然の状態に近づき、また適度に知恵を使うことにより、ストレスが軽減するためと思われる。
なお、いずれの給餌器においても、死亡、外傷等の事故はなかった。
【符号の説明】
【００１４】
１    給餌器
２    餌ホッパー
３    餌取出し通路
５    水抜き穴
６    ケージ
７    餌投入口
８    給餌器の上面部
９    餌取出し口
１０  固形餌
１１  長孔
１３  固定用板
【図１】
0003150669.tif 000003
【図２】
0003150669.tif 000004
【図３】
0003150669.tif 000005
【図４】
0003150669.tif 000006
【図５】
0003150669.tif 000007
【図６】
0003150669.tif 000008
【図７】
0003150669.tif 000009
【図８】
0003150669.tif 000010